(57)【特許請求の範囲】
【請求項１】
穀物を貯留する貯留室と、穀物を乾燥する乾燥室を設け、
乾燥室で乾燥した穀物を貯留室へ揚穀する昇降機を設け、
サンプル豆の水分値を検出する豆用水分計を設け、
豆用水分計を昇降機の一側に設ける構成とし、
豆用水分計はサンプル豆を取り込む一対の繰り込みロールを備え、繰り込みロールを昇降機内部に突出する構成とし、
繰り込みロールの上方にサンプル豆を繰り込みロールに案内する一対のサンプル豆案内板を設け、
一対のサンプル豆案内板は、それぞれ内側に向かって下がり傾斜に形成し、かつ、内側端部間を異物が通過可能なスペースを設けて配置することを特徴とする穀物乾燥機。
【請求項２】
サンプル豆案内板の上方を覆い体で覆い、
覆い体の外面には、サンプル豆案内板にサンプル豆を案内するサンプル豆流下案内樋を取り付けることを特徴とする請求項１記載の穀物乾燥機。
【請求項３】
サンプル豆案内板と繰り込みロールの間に、繰り込みロールに沿う姿勢の一対のサンプル豆案内アームを設けることを特徴とする請求項１又は請求項２記載の穀物乾燥機。
【発明の詳細な説明】
【技術分野】
【０００１】
本発明は、穀物乾燥機に関する。
【背景技術】
【０００２】
特許文献１には、豆用の水分計を備える穀物乾燥機が記載されている。
【先行技術文献】
【特許文献】
【０００３】
【特許文献１】特開２００２−２２８６１４
【発明の概要】
【発明が解決しようとする課題】
【０００４】
豆用水分計に供給するサンプル豆に混じる藁や小粒異物の侵入を低減し、水分計の測定精度の低下を防止することを課題とする。
【０００５】
本願発明は、ことを課題とする。
【課題を解決するための手段】
【０００６】
かかる課題を解決するために、請求項１の発明は、
穀物を貯留する貯留室と、穀物を乾燥する乾燥室を設け、
乾燥室で乾燥した穀物を貯留室へ揚穀する昇降機を設け、
サンプル豆の水分値を検出する豆用水分計を設け、
豆用水分計を昇降機の一側に設ける構成とし、
豆用水分計はサンプル豆を取り込む一対の繰り込みロールを備え、繰り込みロールを昇降機内部に突出する構成とし、
繰り込みロールの上方にサンプル豆を繰り込みロールに案内する一対のサンプル豆案内板を設け、
一対のサンプル豆案内板は、それぞれ内側に向かって下がり傾斜に形成し、かつ、内側端部間を異物が通過可能なスペースを設けて配置することを特徴とする穀物乾燥機とする。
【０００７】
これにより、サンプル豆案内板に堆積する異物を低減できる。
【０００８】
請求項２記載の発明は、
覆い体の外面には、サンプル豆案内板にサンプル豆を案内するサンプル豆流下案内樋を取り付けることを特徴とする請求項１記載の穀物乾燥機とする。
【０００９】
これにより、サンプル豆をサンプル豆案内板に案内でき、サンプル豆案内板に異物が入り込むのを低減できる。
【００１０】
請求項３記載の発明は、
サンプル豆案内板と繰り込みロールの間に、繰り込みロールに沿う姿勢の一対の豆案内アームを設けることを特徴とする請求項１又は請求項２記載の穀物乾燥機とする。
【００１１】
サンプル豆を繰り込みロールに案内できる。
【発明の効果】
【００１２】
本発明により、豆用水分計に供給するサンプル豆に混じる藁や小粒異物の侵入を低減し、水分計の測定精度の低下を防止することができる。
【図面の簡単な説明】
【００１３】
【図１】穀物乾燥機の外観斜視図
【図２】穀物乾燥機の内部を説明する図
【図３】操作盤図
【図４】穀物乾燥機の部分の外観を示す斜視図
【図５】穀物乾燥機の部分の外観を示す斜視図
【図６】昇降機底部の構成部品を示す図
【図７】投入ホッパを取り外した状態を示す図
【図８】選別網の着脱を示す図
【図９】豆用水分計の着脱を示す図
【図１０】豆用水分計の取り付け状態を説明する部分図
【図１１】豆用水分計へ豆を供給する構成を示す図
【図１２】豆用水分計取り付け体を示す図
【図１３】豆用水分計の取り付けを示す分解図
【図１４】平面から見た豆用水分計の取り付けを説明する図及び拡大図
【発明を実施するための形態】
【００１４】
本発明の実施の形態の穀物乾燥機について以下、説明する。
【００１５】
箱体状に形成する穀物乾燥機の上部に穀物を貯留する貯留室１を設け、貯留室１の下部に穀物を燃焼バーナ２の熱風で乾燥する乾燥室３を設ける。燃焼バーナ２は乾燥室３の正面に設ける燃焼バーナケース３１内に収容されている。乾燥室３は、穀物が流下する穀物流下通路４と遠赤外線放射体５を備える。穀物流下通路４の下端部には穀物を繰り出すロータリバルブ６を設け、ロータリバルブ６の下方には下部ラセン７を設ける。
【００１６】
穀物乾燥機の正面側には下部ラセン７で搬送された穀物を揚穀するバケットコンベア１１式の昇降機８を設ける。昇降機８で揚穀された穀物は穀物乾燥機の天井に設ける上部ラセン９で後方に搬送され、貯留室１に供給される。すなわち、循環式穀物乾燥機である。
【００１７】
昇降機８の正面側には米麦用水分計１０を取り付ける。米麦用水分計１０は、昇降機８のバケットコンベア１１のバケット１１ａから溢れて落下した穀物の一部を測定用のサンプル穀物として取り込み、該サンプル穀物を測定用ローラ（図示せず）で圧砕して水分値を測定する。
【００１８】
昇降機８の下部の左右外側には、箱体形状に形成する投入ホッパ取り付け部８ａを設ける。投入ホッパ取り付け部８ａの正面側に穀物を投入する投入ホッパ１３を設ける。投入ホッパ取り付け部８ａの正面側に開口部８ｂを形成して投入ホッパ１３の投入口と連通する構成である。
【００１９】
昇降機８の左右外側に豆の水分値を測定する豆用水分計１４を取り付ける。具体的には、投入ホッパ取り付け部８ａの左右外側面に豆用水分計取り付け体１５を取り付け、豆用水分計取り付け体１５に豆用水分計１４を取り付けている。豆用水分計取り付け体１５は、投入ホッパ取り付け部８ａの外壁の一部となる第一取付け体１６と、第一取付け体１６の下部から下方に延びて形成し、豆用水分計１４を取り付ける第二取付け体１７を備える。第一取付け体１６の中央部と下部にそれぞれ第一切り欠き孔１６ａと第二切り欠き孔１６ｂを形成し、第二取付け体１７の中間部には第三の切り欠き孔１７ａを形成する。第一切り欠き孔１６ａには点検用の蓋１８を着脱自在に取り付け、第二切り欠き孔１６ｂと第三切り欠き孔１７ａは対向する。
【００２０】
豆用水分計１４は箱体形状の内部に穀物を圧砕する水分測定ローラ（図示せず）を内装し、箱体から外側に向かってサンプル豆を取り込む左右一対の繰り込みロール１９を突出させる構成である。豆用水分計１４を第二取付け体１７の外枠部１７ｂに着脱自在に取り付け可能に構成し、繰り込みローラ１９が第二切り欠き孔１６ｂと第三切り欠き孔１７ａを貫通する構成である。
【００２１】
第二取付け体１７の下部から下方に延びる箱状のサンプル豆案内体２０を設ける。このサンプル豆案内体２０は豆用水分計１４で測定に使用されたサンプル豆の下方への落下を案内するサンプル豆落下案内通路２０ａを内部に備えるものである。
【００２２】
昇降機８の底部には昇降機載置部材２１を設ける。昇降機載置部材２１の下方には、昇降機８の底部に落下した草種等の小粒の異物や、前述のサンプル豆を収容する収容受箱２２を設けている。昇降機載置部材２１には、昇降機８の底部と収容受箱２２を連通するための異物通過孔２１ａと、サンプル豆案内通路２０ａと収容受箱２２を連通するためのサンプル豆通過孔２１ｂを形成する。異物通過孔２１ａには多数の選別用のスリット２３ｂが形成されている異物選別網２３を設け、前側に引き出し可能に構成している。サンプル豆案内体２０の下端部を昇降機載置部材２１に着脱可能に取り付けている。収容受箱２２内部にはサンプル豆と異物を仕切る仕切板２２ａを形成している。
【００２３】
第一取付け体１６の内面には一対のサンプル豆案内板２５の一端を取り付けている。サンプル豆案内板２５は、それぞれ内側に、かつ、取り付け側に向けて下がり傾斜状態に配置する。そして、内側端部間の上流側はサンプル豆が通過程度で藁や小粒異物等が通過する程度の幅の第一スペースＳで離間して配置し、下流側はサンプル豆が確実に通過して繰り込みロール１９へ落下させるために第一スペースＳより幅広の第二スペースＴで離間して配置する。幅広の第二スペースＴにするために、サンプル豆案内板２５の下流側に切り欠き部２５ａを形成している。
【００２４】
サンプル豆案内板２５と繰り込みロール１９の間に、第二スペースＴから落下したサンプル豆を繰り込みロール１９間に案内する一対のサンプル豆案内アーム３３を設ける。サンプル豆案内アーム３３は繰り込みロール１９に沿う姿勢に形成し、その基端側をサンプル豆案内板２５の下面に取り付けている。また、サンプル豆案内板２５の下流側の上方に第一取付け体１６の内面から斜め下がり傾斜姿勢で突出するサンプル豆第二案内板３４を設ける。繰り込みロール１９の下方には昇降機８内部側に向かって下がり傾斜姿勢に設ける流下板３５を設ける。この流下板は繰り込みロール１９で繰り込まれなかったサンプル豆の流下と、投入ホッパ１３から投入された穀物の昇降機８底部への流下を兼ねている。
【００２５】
第一取付け体１６の内面には、サンプル豆案内板２５の外側を覆う三角柱形状の覆い体２６を取り付けている。覆い体２６の下部は開放状態とし、覆い体２６の外面は昇降機８内部に向かって下がり傾斜面２６ｂを形成している。下がり傾斜面２６ｂにサンプル豆通過孔２６ｃを形成し、サンプル豆をサンプル豆通過孔２６ｃに流下案内する箱型のサンプル豆流下案内樋２８を下がり傾斜面２６ｂの外面に取り付ける。サンプル豆流下案内樋２８は豆が流下する安息角度で取り付けられ、上面が開口している。サンプル豆流下樋２８の上部に藁等の長尺異物がサンプル豆流下案内樋２８に入り込むのを防止する長尺異物遮蔽体２９を取り付けている。長尺異物遮蔽体２９はコの字型形状で設定間隔で上流側から下流側にわたって複数取り付けている。
【００２６】
本実施の形態では、第一取付け体１６と第二取付け体１７とサンプル豆案内体２０は一体に構成し、これらを取り外すと図９に示すように投入ホッパ取り付け部８ａの外側面が開口した状態になる。これにより、豆用水分計１４の着脱がし易く、また、昇降機８内部のメンテナンス等を行うことができる。
【００２７】
操作盤３０には、張込運転、通風運転、乾燥運転、排出運転、停止を操作する運転スイッチ３１や、運転状況を表示する表示盤３２や、乾燥する対象の穀物を選択する穀物選択スイッチ３６や目標水分値を選択する水分値設定スイッチ３７等を設けている。
【００２８】
次に、穀物乾燥機の運転の概要について説明する。
【００２９】
オペレータは、張込スイッチ３１ａを操作すると昇降機８と上部ラセン９が駆動し、投入ホッパ１３に張り込んだ穀物を貯留室１に搬送する。停止スイッチ３１ｃを操作して張込運転が終了し、オペレータが操作盤３０で乾燥する穀物品種を穀物品種選択スイッチ３６で選択し、水分値選択スイッチ３７で目標水分値を設定した後、乾燥スイッチ３１ｂを操作すると乾燥運転が開始される。穀物は穀物流下通路４で乾燥作用を受けながら流下し、ロータリバルブ６で繰り出され、下部ラセン７、昇降機８、上部ラセン９を経て再度貯留室１に搬送される循環を繰り返す。昇降機８のバケットから溢れた穀物からサンプル穀物を採取し、米麦用水分計１０、又は、豆用水分計１４で設定時間毎に水分値が測定され、目標水分値に到達したことを検出すると燃焼バーナ２が停止し、乾燥運転が終了する。
【００３０】
次に、豆を乾燥させる場合の豆用水分計１４の測定について説明する。
【００３１】
昇降機８に供給された豆をバケット１１ａで揚穀しているときに、バケット１１ａから溢れた豆が落下し、その内の一部がサンプル穀物として豆流下案内樋２８に入り込んで流下し、サンプル豆通過孔２６ｃを通過して、サンプル穀物案内板２５に落下する。サンプル豆通過孔２６ｃを通過してサンプル穀物案内板２５に落下しなかった豆は、覆い体２６の下部から落下し、昇降機８に戻される。サンプル豆案内板２５上に落下した豆は、サンプル穀物案内板２５の傾斜面及び第一スペースＳ上を流下し、第二スペースＴから落下し、繰り込みロール１９間に案内される。繰り込みロール１９でサンプル豆を豆用水分計１４に搬送し、水分測定がなされる。水分測定されたサンプル豆はサンプル豆落下案内通路２０を落下し、サンプル豆通過孔２１ｂを通過して収容受け箱２２に収容される。長尺異物遮蔽体２９で遮蔽されず豆流下案内樋２８及びサンプル豆通過孔２６ｃを通過してサンプル豆案内板２５に落下した小粒異物や藁屑はスペースＳから落下し、昇降機８側に戻される。すなわち、サンプル豆はスペースＳを流下しながら異物と分離することができる。サンプル豆案内板２５から跳ねたサンプル豆の一部はサンプル豆第二案内板３４に当たってスペースＴへ案内される。また、スペースＴから落下したサンプル豆の一部は、サンプル豆案内アーム３３の内側に当たり、繰り込みロール１９間に案内される。サンプル豆案内アーム３３に当たり、外側に跳ねたサンプル豆は流下板３５を流下して昇降機８側に戻される。
【００３２】
これらの構成により、バケット１１ａから溢れて落下したサンプル豆から異物を分離し、豆用水分計に供給することができるので良好な水分測定を行うことができる。
【００３３】
次に、昇降機８の底部の草種等の小粒の異物選別について説明する。
【００３４】
下部ラセン７から昇降機８の底部に供給された豆に混じる小粒の異物は選別網２３のスリット２３ｂを通過し、収容受箱２２内に落下する。乾燥運転終了後にオペレータが選別網２３を引き出すと選別網２３上に残留する残留物を収容受箱２２に収容できる。オペレータは乾燥運転の終了後に収容受箱２２を引き出して収容受箱２２に堆積された異物及びサンプル豆を破棄することができる。また、豆用水分計１４で測定されたサンプル豆は、スリット２３ｂを通過しないので円滑に収容受箱２２に落下して収容できる。
【００３５】
次に、本実施の形態のその他の特徴的部分について説明する。
【００３６】
サンプル豆流下樋２８はサンプル豆の粒径以上の深さを備え、また、樋の幅をサンプル豆が２粒以上入るよう構成することで、サンプル豆が樋から飛び出たり、樋内で詰まることを防止し、取り込んだサンプル豆を確実に流下できる構成としている。
【００３７】
サンプル豆案内板２５の上流側に上方への折り曲げ部２５ｂを形成し、サンプル豆案内板２５に落下したサンプル豆を流下案内し易い構成としている。また、サンプル豆案内板２５は片持ち支持する構成のため、落下したサンプル豆の衝撃を低減することができる。
【００３８】
サンプル豆案内アーム３３と繰り込みロール１９の上面側とをサンプル豆が通過しない程度の間隔を空けることで、サンプル豆を確実に繰り込みロールに案内すると共に、豆用水分計１４の着脱の際に、繰り込みロール１９がサンプル豆案内アーム３３に当接し難いように構成している。
【００３９】
覆い体２６の下がり傾斜面２６ｂは、下がり傾斜面２６ｂに落下衝突した豆を昇降機８側に戻すことができる。また、落下した異物の多くをサンプル豆案内板２５上に落下するのを遮蔽している。
【産業上の利用可能性】
【００４０】
本発明の豆用水分計のサンプル豆採取の構成は、米麦水分計にも適用可能である。その場合には、豆を穀物と置換して記載することが可能である。
【符号の説明】
【００４１】
１  貯留室
３  乾燥室
８  昇降機
８ａ  投入ホッパ取り付け部
１３  投入ホッパ
１４  豆用水分計
１５  豆用水分計取り付け体
１９  繰り込みロール
２０  サンプル豆案内体
２２  収容受箱
２３  選別網
２３ｂ  選別孔（スリット）
２５  サンプル豆案内板を設け、
２６  覆い体
２８  サンプル豆流下案内樋
３３  サンプル豆案内アーム
【図１】
0006492990.tif 000002
【図２】
0006492990.tif 000003
【図３】
0006492990.tif 000004
【図４】
0006492990.tif 000005
【図５】
0006492990.tif 000006
【図６】
0006492990.tif 000007
【図７】
0006492990.tif 000008
【図８】
0006492990.tif 000009
【図９】
0006492990.tif 000010
【図１０】
0006492990.tif 000011
【図１１】
0006492990.tif 000012
【図１２】
0006492990.tif 000013
【図１３】
0006492990.tif 000014
【図１４】
0006492990.tif 000015